(57)【要約】【課題】刃部の周囲を防護する間接活線工事用切断工具を提供する。【解決手段】切断工具１０は、切断工具本体１と一組の取り付け手段２・２を備える。又、切断工具１０は、一対のリンク板３・３と防護カバー４を備える。切断工具本体１は、一対の柄部１１・１２と電線Ｗを切断自在な一対の刃部１ａ・１ｂを有する。取り付け手段２は、把持爪９１ａ・９１ｂに着脱自在に固定できる。リンク板３は、一端部３ａを柄部１１・１２の中間部に回動自在に連結し、他端部３ｂを互いに回動自在に連結している。防護カバー４は、他端部３ｂと回動自在に連結し、切断工具本体１に対して移動できる。一対のリンク板３・３を山折りにした状態では、防護カバー４は、一対の刃部１ａ・１ｂの周囲を囲い、他端部３ｂを回動軸１ｃから遠ざけ、一対のリンク板３・３を谷折りにした状態では、防護カバー４は、一対の刃部１ａ・１ｂを開閉自在に露出させる。【選択図】図１
2018074716.tif 000002
【特許請求の範囲】
【請求項１】
開閉自在に連結した一対の把持腕を先端部側に有する絶縁操作棒を操作して、電線を切断する間接活線工事用切断工具であって、
回動軸で回動自在に連結した一対の帯板状の柄部、及び、これらの柄部から延びて、電線を切断自在な一対の刃部を先端部側に有する切断工具本体と、
一対の前記把持腕の先端部側に設けた把持爪に着脱自在に固定でき、一対の前記柄部の基端部と回動自在に連結した一組の取り付け手段と、
一端部を一対の前記柄部の中間部に回動自在に連結し、他端部を一方の前記柄部と他方の前記柄部の間に配置すると共に、この他端部を互いに回動自在に連結した一対の帯状のリンク板と、
内部に空洞を有し、少なくとも一対の前記刃部の周囲を囲う絶縁性を有する四角台状の防護カバーであって、側面の中央部が一対の前記リンク板の他端部と回動自在に連結し、前記切断工具本体に対して移動自在な防護カバーと、を備え、
一対の前記リンク板の他端部を前記回動軸に向かって近づけ、一対の前記リンク板を山折りに配置した状態では、前記防護カバーは、一対の前記刃部の周囲を囲い、
一対の前記リンク板の他端部を前記回動軸から遠ざけ、一対の前記リンク板を谷折りに配置した状態では、前記防護カバーは、一対の前記刃部を開閉自在に露出させる、間接活線工事用切断工具。
【請求項２】
一対の前記リンク板は、一対の前記柄部の一方の面側に配置される第１のリンク板と、一対の前記柄部の他方の面側に配置される第２のリンク板で構成している、請求項１記載の間接活線工事用切断工具。
【請求項３】
前記取り付け手段は、
一対の前記把持爪を挿入自在な穴部を底面から開口したブロック状の本体と、
先端部を前記穴部の内壁から突出できると共に、一対の前記把持爪の把持面と反対面から前記把持爪に当接する係合ピンと、
前記本体の内部に保持され、前記係合ピンが前記把持爪に向かう力を付勢する圧縮コイルばねと、を有している、請求項１又は２記載の間接活線工事用切断工具。
【発明の詳細な説明】
【技術分野】
【０００１】
本発明は、間接活線工事用切断工具に関する。特に、絶縁操作棒の先端部に設けた一対の開閉する把持腕から突出した把持爪に着脱自在な間接活線工事用切断工具であって、切断工具の刃部の周囲を防護する防護カバーを備えた間接活線工事用切断工具の構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事を行なうことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
例えば、電柱に設置された柱上変圧器又はカットアウト（遮断器）の取替作業では、絶縁操作棒を用いた間接活線工法により、高圧配電線から分岐した引下線を切断している。
【０００５】
図８は、引下線などを切断するために用いられる絶縁操作棒の正面図である。図９は、図８に示した絶縁操作棒の先端部を拡大した正面図である。図１０は、図９の左側面図である。
【０００６】
図８を参照すると、絶縁操作棒９は、長尺の操作棒９１と把持工具９２で構成している。又、絶縁操作棒９は、作動棒９３を備えている。把持工具９２は、操作棒９１の先端部に取り付けている。
【０００７】
図８又は図９を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【０００８】
図８を参照すると、作動棒９３は、操作棒９１に沿って保持されている。作動棒９３の先端部は、他方の把持腕９ｂに回動自在に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成し、間接活線工事に好適なように、絶縁性を確保している。
【０００９】
図８を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図８又は図９は、一方の把持腕９ａに対して、他方の把持腕９ｂが最大に開いた状態を示している。
【００１０】
図９又は図１０を参照すると、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図８又は図９を参照して、操作レバー９４を握ると、他方の把持面９０ｂを一方の把持面９０ａに近づけることができる。
【００１１】
図８から図１０に示した絶縁操作棒９は、高所に配置された高圧配電線などを一対の把持爪９１ａ・９１ｂで把持できる、いわゆる「絶縁ヤットコ」になっている。
【００１２】
前述した引下線を切断するために、図８から図１０に示した絶縁操作棒９の先端部に着脱自在に取り付けできる間接活線工事用切断工具が開示されている（例えば、特許文献１参照）。
【先行技術文献】
【特許文献】
【００１３】
【特許文献１】特開２０１４−８２８９５号公報
【発明の概要】
【発明が解決しようとする課題】
【００１４】
特許文献１による間接活線工事用切断工具は、第１の柄固定手段を介して、一方の柄部の末端部を絶縁ヤットコの固定腕に固定し、第２の柄固定手段を介して、他方の柄部の末端部を絶縁ヤットコの可動腕にスライド自在に連結しているので、引下線を切断しても、その切り口の周辺を曲がらないようにできる、としている。
【００１５】
ところで、従来技術による間接活線工事用切断工具は、一対の刃部が先端部側に露出しているので、これらの刃部に不用意に触れる心配がある。又、一対の刃部が金属製の装柱物などに電気的に接触して、地絡事故が発生する心配がある。
【００１６】
絶縁性を有するキャップを一対の刃部に被せることで、刃部に直接触れる心配が無くなり、刃部が金属製の装柱物などに電気的に接触する心配を無くすことができる。しかし、引下線などを切断する度に、キャップを着脱するのは作業効率が良くないという問題がある。
【００１７】
絶縁ヤットコを用いて、引下線などを切断する切断工具の刃部の周囲を防護すると共に、作業効率に優れた間接活線工事用切断工具が求められていた。そして、以上のことが本発明の課題といってよい。
【００１８】
本発明は、このような課題に鑑みてなされたものであり、絶縁ヤットコを用いて、引下線などを切断する切断工具の刃部の周囲を防護すると共に、作業効率に優れた間接活線工事用切断工具を提供することを目的とする。
【課題を解決するための手段】
【００１９】
本発明者は、回動自在に連結した一対の柄部を有し、電線を切断自在な一対の刃部を先端部側に有する切断工具本体と、把持腕の把持爪に着脱自在に固定でき、柄部の基端部と回動自在に連結した一組の取り付け手段と、一端部を柄部の中間部に回動自在に連結し、他端部を互いに回動自在に連結した一対のリンク板と、切断工具本体に対して移動自在な防護カバーで間接活線工事用切断工具を構成し、一対のリンク板が山折りに屈曲した状態では、防護カバーが刃部の周囲を防護でき、一対のリンク板が谷折りに屈曲した状態では、防護カバーが下降し、一対の刃部を開閉自在に露出できると考え、これに基づいて、以下のような新たな間接活線工事用切断工具を発明するに至った。
【００２０】
（１）本発明による間接活線工事用切断工具は、開閉自在に連結した一対の把持腕を先端部側に有する絶縁操作棒を操作して、電線を切断する間接活線工事用切断工具であって、回動軸で回動自在に連結した一対の帯板状の柄部、及び、これらの柄部から延びて、電線を切断自在な一対の刃部を先端部側に有する切断工具本体と、一対の前記把持腕の先端部側に設けた把持爪に着脱自在に固定でき、一対の前記柄部の基端部と回動自在に連結した一組の取り付け手段と、一端部を一対の前記柄部の中間部に回動自在に連結し、他端部を一方の前記柄部と他方の前記柄部の間に配置すると共に、この他端部を互いに回動自在に連結した一対の帯状のリンク板と、内部に空洞を有し、少なくとも一対の前記刃部の周囲を囲う絶縁性を有する四角台状の防護カバーであって、側面の中央部が一対の前記リンク板の他端部と回動自在に連結し、前記切断工具本体に対して移動自在な防護カバーと、を備え、一対の前記リンク板の他端部を前記回動軸に向かって近づけ、一対の前記リンク板を山折りに配置した状態では、前記防護カバーは、一対の前記刃部の周囲を囲い、一対の前記リンク板の他端部を前記回動軸から遠ざけ、一対の前記リンク板を谷折りに配置した状態では、前記防護カバーは、一対の前記刃部を開閉自在に露出させる。
【００２１】
（２）一対の前記リンク板は、一対の前記柄部の一方の面側に配置される第１のリンク板と、一対の前記柄部の他方の面側に配置される第２のリンク板で構成していることが好ましい。
【００２２】
（３）前記取り付け手段は、一対の前記把持爪を挿入自在な穴部を底面から開口したブロック状の本体と、先端部を前記穴部の内壁から突出できると共に、一対の前記把持爪の把持面と反対面から前記把持爪に当接する係合ピンと、前記本体の内部に保持され、前記係合ピンが前記把持爪に向かう力を付勢する圧縮コイルばねと、を有していることが好ましい。
【発明の効果】
【００２３】
本発明による間接活線工事用切断工具は、刃部を先端部側に有する一組の柄部の中間部に一対のリンク板を連結し、一対のリンク板が山折りに屈曲した状態では、防護カバーが刃部の周囲を防護でき、一対のリンク板が谷折りに屈曲した状態では、防護カバーが下降し、一対の刃部を開閉自在に露出できる。
【図面の簡単な説明】
【００２４】
【図１】本発明の一実施形態による間接活線工事用切断工具の構成を示す正面図であり、切断工具本体に対して防護カバーが最も上昇した状態で、防護カバーを縦断面図で示している。
【図２】前記実施形態による間接活線工事用切断工具の構成を示す正面図であり、切断工具本体に対して防護カバーが最も上昇した状態図である。
【図３】前記実施形態による間接活線工事用切断工具の構成を示す正面図であり、図１の状態変化図である。
【図４】前記実施形態による間接活線工事用切断工具の構成を示す正面図であり、図３の状態変化図である。
【図５】前記実施形態による間接活線工事用切断工具の構成を示す正面図であり、切断工具本体に対して防護カバーが最も下降した状態で、防護カバーを縦断面図で示している。
【図６】前記実施形態による間接活線工事用切断工具の構成を示す図であり、図４の右側面図である。
【図７】前記実施形態による間接活線工事用切断工具に備わる取り付け手段の構成を示す図であり、図７（Ａ）は、取り付け手段の斜視図、図７（Ｂ）は、取り付け手段の縦断面図、図７（Ｃ）は、図７（Ｂ）の横断面図である。
【図８】引下線などを切断するために用いられる絶縁操作棒の正面図である。
【図９】図８に示した絶縁操作棒の先端部を拡大した正面図である。
【図１０】図９の左側面図である。
【発明を実施するための形態】
【００２５】
以下、図面を参照して本発明を実施するための形態を説明する。
［間接活線工事用切断工具の構成］
最初に、本発明の一実施形態による間接活線工事用切断工具の構成を説明する。
【００２６】
図１は、本発明の一実施形態による間接活線工事用切断工具の構成を示す正面図であり、切断工具本体に対して防護カバーが最も上昇した状態で、防護カバーを縦断面図で示している。
【００２７】
図２は、前記実施形態による間接活線工事用切断工具の構成を示す正面図であり、切断工具本体に対して防護カバーが最も上昇した状態図である。
【００２８】
図３は、前記実施形態による間接活線工事用切断工具の構成を示す正面図であり、図１の状態変化図である。図４は、前記実施形態による間接活線工事用切断工具の構成を示す正面図であり、図３の状態変化図である。
【００２９】
図５は、前記実施形態による間接活線工事用切断工具の構成を示す正面図であり、切断工具本体に対して防護カバーが最も下降した状態で、防護カバーを縦断面図で示している。図６は、前記実施形態による間接活線工事用切断工具の構成を示す図であり、図４の右側面図である。
【００３０】
図７は、前記実施形態による間接活線工事用切断工具に備わる取り付け手段の構成を示す図であり、図７（Ａ）は、取り付け手段の斜視図、図７（Ｂ）は、取り付け手段の縦断面図、図７（Ｃ）は、図７（Ｂ）の横断面図である。なお、従来技術で付した符号と同じ符号を付した構成品は、その作用を同じにするので以下説明を省略することがある。
【００３１】
（全体構成）
次に、本発明の一実施形態による間接活線工事用切断工具の全体構成を説明する。図１から図６を参照すると、本発明の一実施形態による間接活線工事用切断工具（以下、切断工具と略称する）１０は、開閉自在に連結した一対の把持腕９ａ・９ｂを先端部側に有する絶縁操作棒９を操作して（図８から図１０参照）、引下線などの電線Ｗを切断できる。
【００３２】
図１から図６を参照すると、切断工具１０は、切断工具本体１と一組の取り付け手段２・２を備えている。又、切断工具１０は、一対の帯状のリンク板３・３と絶縁性を有する四角台状の防護カバー４を備えている。
【００３３】
図１から図６を参照すると、切断工具本体１は、一対の柄部１１・１２と一対の刃部１ａ・１ｂを備えている。一対の柄部１１・１２は、回動軸１ｃで開閉自在に連結している。一対の刃部１ａ・１ｂは、回動軸１ｃから延びた先端部側に形成している。一対の柄部１１・１２の基端部を閉じると、一対の刃部１ａ・１ｂを閉じることで、電線Ｗを切断できる（図４参照）。
【００３４】
図１から図６を参照すると、一方の取り付け手段２は、把持腕９ａの先端部側に設けた把持爪９１ａに着脱自在に固定できる。又、一方の取り付け手段２は、柄部１１の基端部と回動自在に連結している。他方の取り付け手段２は、把持腕９ｂの先端部側に設けた把持爪９１ｂに着脱自在に固定できる。又、他方の取り付け手段２は、柄部１２の基端部と回動自在に連結している。
【００３５】
図１から図６を参照すると、一方のリンク板３は、その一端部３ａを柄部１１の中間部に回動自在に連結している。他方のリンク板３は、その一端部３ａを柄部１２の中間部に回動自在に連結している。一対のリンク板３・３は、それらの他端部３ｂを一方の柄部１１と他方の柄部１２の間に配置している。そして、一対のリンク板３・３は、それらの他端部３ｂを互いに回動自在に連結している。
【００３６】
図１又は図２を参照すると、防護カバー４は、内部に空洞を有し、少なくとも一対の刃部１ａ・１ｂの周囲を囲っている。又、防護カバー４は、その側面４ｓの中央部が一対のリンク板３・３の他端部３ｂと回動自在に連結している。一対の把持腕９ａ・９ｂを開閉すると、これに連動して一対のリンク板３・３の他端部３ｂが移動し、切断工具本体１に対して防護カバー４を移動できる。
【００３７】
図１から図３を参照して、他端部３ｂを回動軸１ｃに向かって近づけ、一対のリンク板３・３を山折りに配置した状態では、防護カバー４は、一対の刃部１ａ・１ｂの周囲を囲っている。
【００３８】
図５を参照して、他端部３ｂを回動軸１ｃから遠ざけ、一対のリンク板３・３を谷折りに配置した状態では、防護カバー４は、一対の刃部１ａ・１ｂを開閉自在に露出させている。
【００３９】
（取り付け手段の構成）
次に、実施形態による取り付け手段２の構成を説明する。図７を参照すると、取り付け手段２は、ブロック状の本体２１、係合ピン２２、及び、圧縮コイルばね２３を備えている。本体２１は、穴部２１ｈを底面から開口している。穴部２１ｈには、把持爪９１ａ又は把持爪９１ｂを挿入できる（図１から図６参照）。
【００４０】
又、図７（Ａ）を参照すると、本体２１は、雌ねじ部２１ｆを両側面に設けている。雄ねじ部材２１ｍを雌ねじ部２１ｆに螺合することで、柄部１１の基端部又は柄部１２の基端部と取り付け手段２を回動自在に連結できる（図２又は図４参照）。なお、図６を参照して、一方の柄部１１と他方の柄部１２の板厚方向の段差を解消するため、一方の柄部１１の基端部は、スペーサ２１１を介して、本体２１に連結している。
【００４１】
図７を参照すると、係合ピン２２は、軸部２２ｓと鍔部２２ｆで構成している。軸部２１ｓは、本体２１の外壁から突出した円筒部２ｐの内部に収容されている。軸部２２ｓは、その先端部が穴部２１ｈの内壁から内部に突出している（図７（Ｂ）参照）。鍔部２２ｆは、円筒部２ｐの上端縁に当接している。
【００４２】
図７（Ｂ）を参照すると、圧縮コイルばね２３は、軸部２２ｓの外周を巻回している。又、圧縮コイルばね２３は、円筒部２ｐの内部に収容されている。圧縮コイルばね２３の一端部は、軸部２２ｓに固定されている。又、圧縮コイルばね２３の他端部は、円筒部２ｐの内壁に固定されている。そして、圧縮コイルばね２３は、軸部２２ｓの先端部が穴部１１ｈの内部に突出する力を付勢している。
【００４３】
図７（Ａ）又は図７（Ｂ）を参照して、鍔部２２ｆを把持して、圧縮コイルばね２３の付勢力に抗して、係合ピン２２を引き上げると、把持爪９１ａ又は把持爪９１ｂを穴部１１ｈに収容できる（図１又は図３参照）。そして、鍔部２２ｆを解放すると、把持爪９１ａ又は把持爪９１ｂの把持面９０ａ・９０ｂと反対面から把持爪９１ａ又は把持爪９１ｂに係合ピン２２の先端部を当接できる。把持爪９１ａ又は把持爪９１ｂには、係合ピン２２の先端部が進入する窪み９ｄを設けている（図１０参照）。
【００４４】
図７（Ｂ）又は図７（Ｃ）を参照すると、軸部２２ｓは、遠心方向に係止ピン２２ｐを突出している。一方、円筒部２ｐの内部には、係止ピン２２ｐを軸部２１ｓの軸方向に案内するスリット状の溝２２ｍを設けている。
【００４５】
図７（Ｂ）又は図７（Ｃ）を参照して、鍔部２２ｆを把持して、係合ピン２２を引き上げると、係止ピン２２ｐを円筒部２ｐの上端縁を超える高さに移動できる。そして、係合ピン２２を外周方向に回動すると、係止ピン２２ｐを円筒部２ｐの上端縁に当接できる。これにより、係合ピン２２を引き上げた状態を維持できる。そして、把持爪９１ａ又は把持爪９１ｂを穴部２１ｈに収容した後に、係合ピン２２を逆方向に回動することで、把持爪９１ａ又は把持爪９１ｂを本体２１に固定できる。
【００４６】
（リンク板の構成）
次に、実施形態によるリンク板３の構成を説明する。図６を参照すると、一対のリンク板３・３は、第１のリンク板３１・３１と第２のリンク板３２・３２で構成している。第１のリンク板３１・３１は、一対の柄部１１・１２の一方の面側に配置している。第２のリンク板３２・３２は、一対の柄部１１・１２の他方の面側に配置している。これにより、防護カバー４を両軸支持できる。なお、第１のリンク板３１と第２のリンク板３２は、同じものであるが、説明の便宜上符号を変えて区別した。
【００４７】
［間接活線工事用切断工具の作用］
次に、実施形態による切断工具１０の操作方法を説明しながら、切断工具１０の作用及び効果を説明する。
【００４８】
図１又は図２を参照して、一組の取り付け手段２・２を絶縁操作棒９の先端部側に設けた一対の把持腕９ａ・９ｂに固定することで、絶縁操作棒９を操作して、切断工具１０を開閉できる。
【００４９】
図１を参照すると、一対の把持腕９ａ・９ｂを閉じており、一対のリンク板３・３を山折りに配置した状態で、一対のリンク板３・３の他端部３ｂが回動軸１ｃに最も近づいている。
【００５０】
図１又は図２に示した状態では、防護カバー４は、一対の刃部１ａ・１ｂの周囲を囲っている。これにより、これらの刃部１ａ・１ｂに不用意に触れる心配が無くなる。又、図１又は図２に示した状態では、絶縁性を有する防護カバー４が一対の刃部１ａ・１ｂの周囲を囲っているので、これらの刃部１ａ・１ｂが金属製の装柱物などに電気的に接触する心配を無くすことができる。
【００５１】
図１又は図２に示した状態から、一対の把持腕９ａ・９ｂを開くと、一対の柄部１１・１２の動作に連動して、図３に示すように、他端部３ｂを回動中心として一対のリンク板３・３を開くことができる。
【００５２】
図３に示した状態では、図１に示した状態と比べて、一対のリンク板３・３の他端部３ｂが回動軸１ｃから遠ざかっている。つまり、切断工具本体１に対して、防護カバー４を下降できる。
【００５３】
図３に示した状態から、一対の把持腕９ａ・９ｂを更に開くと、図４に示すように、一対のリンク板３・３を一直線上に配置できる。そして、一対のリンク板３・３の他端部３ｂを回動軸１ｃから更に遠ざけることができる。図４に示した状態では、一対の刃部１ａ・１ｂを開いて、電線Ｗをその外周方向から一対の刃部１ａ・１ｂの間に導入できる。
【００５４】
図４は、一対の把持腕９ａ・９ｂが最も開いた状態である。図４に示した状態から、一対の把持腕９ａ・９ｂを閉じると、一対のリンク板３・３の他端部３ｂには、防護カバー４の重量が付与されるので、他端部３ｂを回動軸１ｃから遠ざけ、一対のリンク板３・３を谷折りに配置できる（図５参照）。
【００５５】
図５に示した状態では、防護カバー４は、一対の刃部１ａ・１ｂを露出させている。図５に示した状態から、一対の把持腕９ａ・９ｂを開くと、電線Ｗを導入可能に一対の刃部１ａ・１ｂを開くことができる（図４参照）。次に、一対の把持腕９ａ・９ｂを閉じることで、電線Ｗを切断できる。
【００５６】
このように、実施形態による切断工具１０は、一対のリンク板３・３の他端部３ｂを回動軸１ｃから遠ざけ、一対のリンク板３・３を谷折りに配置した状態では、防護カバー４が一対の刃部１ａ・１ｂを開閉自在に露出できる。つまり、実施形態による切断工具１０は、防護カバー４を取り外すことなく、電線Ｗを切断でき、作業効率に優れている。
【００５７】
本発明による間接活線工事用切断工具は、次のような効果が期待できる。
（１）切断作業時以外は、切断工具の刃部を防護カバーで覆うことができる。
（２）刃部に不用意に触れる心配がなくなる。
（３）切断工具が金属製の装柱物などに電気的に接触して、地絡事故が発生することを低減できる。
（４）安心、安全、かつ、作業効率よく切断作業を実施できる。
【００５８】
本発明は、一対の把持腕を先端部側に有する絶縁ヤットコに好適な間接活線工事用切断工具を開示したが、本発明の間接活線工事用切断工具は、直接活線工事用切断工具に応用することが期待される。
【符号の説明】
【００５９】
１  切断工具本体
１ａ・１ｂ  一対の刃部
１ｃ  一対の柄部の回動軸
２  取り付け手段
３・３  一対のリンク板
３ａ  リンク板の一端部
３ｂ  リンク板の他端部
４  防護カバー
９  絶縁操作棒
９ａ・９ｂ  一対の把持腕
１０  切断工具（間接活線工事用切断工具）
１１・１１  一対の柄部
９１ａ・９１ｂ  一対の把持爪
Ｗ  電線
【図１】
2018074716.tif 000003
【図２】
2018074716.tif 000004
【図３】
2018074716.tif 000005
【図４】
2018074716.tif 000006
【図５】
2018074716.tif 000007
【図６】
2018074716.tif 000008
【図７】
2018074716.tif 000009
【図８】
2018074716.tif 000010
【図９】
2018074716.tif 000011
【図１０】
2018074716.tif 000012